(57)【要約】      （修正有）【課題】自動運転により生じた時間を顔付近の手入れに有効活用し易くすることができる車内照明装置を提供する。【解決手段】車内照明装置１は、車内を照明するものであって、光の三原色を発光可能な三原色発光素子を複数個配列した発光層と発光層の光出射側に配置され発光層からの光を散乱させる散乱層とを有した照明装置１０と、複数のシーンのうちいずれか１つを選択可能な操作部２０と、複数のシーンのそれぞれにおいて、三原色発光素子の各発光色の輝度データを記憶した記憶部３２と、操作部２０によりシーンが選択された場合、当該シーンについて記憶部３２に記憶される三原色発光素子の各発光色の輝度データに基づいて、発光層を発光制御する発光制御部３１とを備える。【選択図】図５
2018094941.tif 000002
【特許請求の範囲】
【請求項１】
車内を照明する車内照明装置であって、
光の三原色を発光可能な三原色発光素子を複数個配列した発光素子群と、前記発光素子群の光出射側に配置され前記発光素子群からの光を散乱させる散乱部材とを有した照明手段と、
複数のシーンのうちいずれか１つを選択可能な選択手段と、
前記複数のシーンのそれぞれにおいて、前記三原色発光素子の各発光色の輝度データを記憶した記憶手段と、
前記選択手段によりシーンが選択された場合、当該シーンについて前記記憶手段に記憶される前記三原色発光素子の各発光色の輝度データに基づいて、前記発光素子群を発光制御する発光制御手段と、
を備えることを特徴とする車内照明装置。
【請求項２】
前記照明手段は、ルーフ部のうち、運転席の前方のウィンドシールドの上辺に沿って、運転席の幅以上の長さで設けられている
ことを特徴とする請求項１に記載の車内照明装置。
【請求項３】
前記照明手段は、ルーフ部の略全体に設けられている
ことを特徴とする請求項２に記載の車内照明装置。
【発明の詳細な説明】
【技術分野】
【０００１】
本発明は、車内照明装置に関する。
【背景技術】
【０００２】
近年、運転者が運転操作することなく車両が目的地等まで走行される自動運転技術が開発されつつある（例えば特許文献１〜４参照）。
【先行技術文献】
【特許文献】
【０００３】
【特許文献１】特開２０１６−１８２９０６号公報
【特許文献２】特開２０１６−１８２８９１号公報
【特許文献３】特開２０１６−１３７８１９号公報
【特許文献４】特開２０１６−９５６２７号公報
【発明の概要】
【発明が解決しようとする課題】
【０００４】
自動運転において運転者は運転を行う必要がなくなることから、例えば化粧を行ったり髭や髪を整えたりなど、顔付近の手入れを行うことが考えらえる。しかし、車内は車外よりも比較的暗い環境であることから適切な手入れを行い易いとはいえない。また、ルーフ部に設けられる車内ライトを点灯させたとしても、車内ライトからの光が車外の自然光とは異なる光であることから車内で行った顔付近の手入れによる見栄えは、車外で行った顔付近の手入れによる見栄えと異なるものとなり易く、折角の自動運転により生じた時間を顔付近の手入れに有効活用できない。
【０００５】
本発明は、このような課題を解決するためになされたものであり、その目的とするところは、自動運転により生じた時間を顔付近の手入れに有効活用し易くすることができる車内照明装置を提供することにある。
【課題を解決するための手段】
【０００６】
本発明に係る車内照明装置は、車内を照明する車内照明装置であって、光の三原色を発光可能な三原色発光素子を複数個配列した発光素子群と、前記発光素子群の光出射側に配置され前記発光素子群からの光を散乱させる散乱部材とを有した照明手段と、複数のシーンのうちいずれか１つを選択可能な選択手段と、前記複数のシーンのそれぞれにおいて、前記三原色発光素子の各発光色の輝度データを記憶した記憶手段と、前記選択手段によりシーンが選択された場合、当該シーンについて前記記憶手段に記憶される前記三原色発光素子の各発光色の輝度データに基づいて、前記発光素子群を発光制御する発光制御手段と、を備えることを特徴とする。
【０００７】
本発明に係る車内照明装置によれば、光の三原色を発光可能な三原色発光素子を複数個配列した発光素子群と、発光素子群の光出射側に配置された散乱部材とを有した照明手段を備えるため、各三原色発光素子の発光状態を適切とすることで自然光に近い光を再現することが可能となる。また、複数のシーンにおける三原色発光素子の各発光色の輝度データを記憶し、シーンが選択された場合、記憶された輝度データに応じて発光制御するため、自然光に近い光で各シーンを再現でき、自動運転により生じた時間を顔付近の手入れに有効活用し易くすることができる。
【０００８】
また、本発明に係る車内照明装置において、前記照明手段は、ルーフ部のうち、運転席の前方のウィンドシールドの上辺に沿って、運転席の幅以上の長さで設けられていることが好ましい。
【０００９】
この車内照明装置によれば、照明手段は、ルーフ部のうち、運転席の前方のウィンドシールド上辺に沿って、運転席の幅以上の長さで設けられているため、少なくとも運転席に着座する運転者を前方から好適に照らすことができ、一層車外に近い環境で顔付近の手入れを行い易くすることができる。
【００１０】
また、本発明に係る車内照明装置において、前記照明手段は、ルーフ部の略全体に設けられていることが好ましい。
【００１１】
この車内照明装置によれば、照明手段は、ルーフ部の略全体に設けられているため、顔付近の手入れをする者の上部（ルーフ部）が透過しているかのような環境とすることができ、サンルーフが全開となった環境下と同様の環境下を提供して、より一層車外に近い環境で顔付近の手入れを行い易くすることができる。
【発明の効果】
【００１２】
本発明によれば、自動運転により生じた時間を顔付近の手入れに有効活用し易くすることができる車内照明装置を提供することができる。
【図面の簡単な説明】
【００１３】
【図１】本発明の実施形態に係る車内照明装置を示す概略構成図である。
【図２】車内の正面図である。
【図３】図１及び図２に示す照明装置の詳細を示す側面図である。
【図４】図１及び図２に示す照明装置の一部平面図である。
【図５】図１に示した制御部を示すブロック図である。
【図６】図５に示した記憶部の記憶内容の一例を示す概念図である。
【発明を実施するための形態】
【００１４】
以下、本発明を好適な実施形態に沿って説明する。なお、本発明は以下に示す実施形態に限られるものではなく、本発明の趣旨を逸脱しない範囲において適宜変更可能である。また、以下に示す実施形態においては、一部構成の図示や説明を省略している箇所があるが、省略された技術の詳細については、以下に説明する内容と矛盾点が発生しない範囲内において、適宜公知又は周知の技術が適用されていることはいうまでもない。
【００１５】
図１は、本発明の実施形態に係る車内照明装置１を示す概略構成図である。図１に示すように、本実施形態に係る車内照明装置１は、車内を照明するものであって、照明装置（照明手段）１０と、操作部（選択手段）２０と、制御部３０とを備えている。
【００１６】
照明装置１０は、車両のルーフ部に設けられており、この位置から車内を照明するものである。図２は車内の正面図である。図２に示すように、照明装置１０はルーフ部の略全体に設けられている。このため、照明装置１０は、車両の天井部となるルーフ部全体が発光するように設けられていることとなる。なお、照明装置１０は、ルーフ部全体に限らず、運転席前方のウィンドシールドＷＳの上辺に沿って運転席の幅以上の長さで設けられていてもよい（すなわち図２に示す斜線部分のみに設けられていてもよい）。これによっても、運転席に着座する運転者を好適に照明できるからである。
【００１７】
図３は、図１及び図２に示す照明装置１０の詳細を示す側面図であり、図４は、図１及び図２に示す照明装置１０の一部平面図である。図３に示すように、本実施形態に係る照明装置１０は、発光層（発光素子群）ＬＬと、散乱層（散乱部材）ＤＬとから構成されている。
【００１８】
発光層ＬＬは、光の三原色を発光可能な三原色発光素子１１を複数個配列したものである。三原色発光素子１１は、光の三原色の１つである赤色を発光可能な発光素子１１Ｒと、光の三原色の他の１つである緑色を発光可能な発光素子１１Ｇと、光の三原色の残り１つである青色を発光可能な発光素子１１Ｂとを備えている。発光層ＬＬは、図４に示すように、三原色発光素子１１（具体的には三原色発光素子１１を構成する各発光素子１１Ｒ，１１Ｇ，１１Ｂ）がマトリクス状に複数個配列されて構成されている。なお、三原色発光素子１１は一方向に、すなわちアレイ状に配置されるものであってもよい。
【００１９】
散乱層ＤＬは、発光層ＬＬの光出射側に配置され、発光層ＬＬからの光を散乱させるものである。この散乱層ＤＬは、自然光に非常に近い散乱を実現すべく、例えばナノ粒子と二酸化チタンとを用いた透明ポリマー層により構成されている。
【００２０】
再度図１及び図２を参照する。操作部２０は、複数のシーンのうちいずれか１つを選択する操作が可能なものであり、本実施形態においては、例えば車両のセンタークラスター付近に設けられるタッチパネル形式の液晶ディスプレイによって構成されている。ここで、複数のシーンとは、晴天、曇天、雨天などの天気に関するシーンである。よって、運転者は、晴天シーンや曇天シーンなどを選択可能となっている。
【００２１】
図５は、図１に示した制御部３０を示すブロック図である。なお、図５においては、照明装置１０及び操作部２０についても図示するものとする。
【００２２】
制御部３０は、車内照明装置１の全体を制御するものであって、発光制御部（発光制御手段）３１と記憶部（記憶手段）３２とを備えている。
【００２３】
図６は、図５に示した記憶部３２の記憶内容の一例を示す概念図である。図６に示すように、記憶部３２は、複数のシーンのそれぞれにおいて、三原色発光素子１１の各発光色の輝度データを記憶したものである。具体的に記憶部３２は、例えば晴天のシーンにおいて、赤色の輝度データを「α１」と記憶し、緑色の輝度データを「α２」と記憶し、青色の輝度データを「α３」と記憶している。また、記憶部３２は、曇天や雨天などの他のシーンにおいても晴天時と同様に、赤色、緑色及び青色の輝度データを記憶している。
【００２４】
発光制御部３１は、車両が運転者による運転操作を要しない自動運転状態において操作部２０によりシーンが選択された場合、選択されたシーンについて記憶される各発光色の輝度データに基づいて、発光層ＬＬの三原色発光素子１１（特に各発光素子１１Ｒ，１１Ｇ，１１Ｂ）を発光制御するものである。ここで、記憶部３２により記憶される輝度データは、シーンに応じた自然光に近い状態を再現するようなものとなっている。このため、発光制御部３１は、記憶部３２により記憶されるデータに基づいて、発光層ＬＬを構成する複数個の三原色発光素子１１を発光制御することで、晴天時、曇天時及び雨天時等の自然光の照射に近い状態を再現することができる。これにより、自動運転中において自然光に近い光で運転者を照らし、自動運転により生じた時間を顔付近の手入れに有効活用し易くするようにしている。
【００２５】
次に、本実施形態に係る車内照明装置１による照明制御方法を説明する。まず、運転者は、操作部２０等を操作して、車両を、運転者による運転操作を要する手動運転状態から、運転者による運転操作を要しない自動運転状態とする。
【００２６】
次いで、運転者は、操作部２０を操作して、車外環境に近いシーンを選択する。これにより、発光制御部３１は、選択されたシーンに関する各発光色の輝度データを記憶部３２から読み出す。そして、発光制御部３１は、読み出した各発光色の輝度データに基づいて発光層ＬＬの三原色発光素子１１を発光制御する。
【００２７】
以上により、車内照明装置１は、車内の照明状態を自然光で照らされた状態と近い状態とすることとなる。
【００２８】
このようにして、本実施形態に係る車内照明装置１によれば、光の三原色を発光可能な三原色発光素子１１を複数個配列した発光層ＬＬと、発光層ＬＬの光出射側に配置された散乱層ＤＬとを有した照明装置１０を備えるため、各三原色発光素子１１の発光状態を適切とすることで自然光に近い光を再現することが可能となる。また、複数のシーンにおける三原色発光素子１１の各発光色の輝度データを記憶し、シーンが選択された場合、記憶された輝度データに応じて発光制御するため、自然光に近い光で各シーンを再現でき、自動運転により生じた時間を顔付近の手入れに有効活用し易くすることができる。
【００２９】
また、照明装置１０は、ルーフ部のうち、運転席の前方のウィンドシールドＷＳの上辺に沿って、運転席の幅以上の長さで設けられているため、少なくとも運転席に着座する運転者を前方から好適に照らすことができ、一層車外に近い環境で顔付近の手入れを行い易くすることができる。
【００３０】
また、照明装置１０は、ルーフ部の略全体に設けられているため、顔付近の手入れをする者の上部（ルーフ部）が透過しているかのような環境とすることができ、サンルーフが全開となった環境下と同様の環境下を提供して、より一層車外に近い環境で顔付近の手入れを行い易くすることができる。
【００３１】
以上、実施形態に基づき本発明を説明したが、本発明は上記実施形態に限られるものではなく、本発明の趣旨を逸脱しない範囲で、変更を加えてもよいし、可能な範囲で適宜他の技術を組み合わせてもよい。
【００３２】
例えば、本実施形態において照明装置１０はルーフ部の１箇所に限らず、複数箇所に分割して設けられていてもよい。さらに、照明装置１０は図２に示した広範なものに限らず、ルーフ部の中央又はルーフ部前方中央に設けられる既存の車内ライト程度の大きさのものであってもよい。
【００３３】
また、本実施形態において複数のシーンは上記したものに限らず、より多くのシーンからなっていてもよい。例えば街中の晴天時のシーンや、郊外の晴天時のシーンなど、より詳細化されたものであってもよいし、晴天時の朝方、晴天時の夕方など、時間で区切られたシーンであってもよい。
【符号の説明】
【００３４】
１      ：車内照明装置
１０    ：照明装置（照明手段）
１１    ：三原色発光素子
２０    ：操作部（選択手段）
３０    ：制御部
３１    ：発光制御部（発光制御手段）
３２    ：記憶部（記憶手段）
ＤＬ    ：散乱層（散乱部材）
ＬＬ    ：発光層（発光素子群）
ＷＳ    ：ウィンドシールド
【図１】
2018094941.tif 000003
【図２】
2018094941.tif 000004
【図３】
2018094941.tif 000005
【図４】
2018094941.tif 000006
【図５】
2018094941.tif 000007
【図６】
2018094941.tif 000008